(57)【要約】  【課題】  たとえリアケースの肉厚寸法が薄くなったとしても、また、リアケースの側面端部に符号を付すことなく、しかも広角度から視認性の高い銘札部をリアケースの裏面側における側壁端面を持った電子機器におけるケース構造を提供する。  【解決手段】  フロントケース１１とリアケース１２とで電子機器ケース１０を構成し、電子機器ケース１０内に制御ユニットを収容し、且つリアケース１２の裏面部に前記制御ユニットに電気的に接続する端子台１３を配設して構成する場合、リアケース１２の裏面部１８における側壁端面１８ａを拡大して、端子台１３における端子符番１７，１７，１７・・の記載用の銘札部２０を形成した。【選択図】  図１
2005137131.tif 000002
【特許請求の範囲】
【請求項１】
フロントケースとリアケースとで電子機器ケースを構成し、該電子機器ケース内に制御ユニットを収容し、且つ前記リアケースの裏面部に前記制御ユニットに電気的に接続する端子台を配設して構成される電子機器ケース構造であって、前記リアケースの裏面部における側壁端面を拡大して、前記端子台における端子符号記載用の銘札部を形成したことを特徴とする電子機器におけるケース構造。
【請求項２】
前記銘札部は、前記側壁端面を斜面形状に形成することによって構成したことを特徴とする請求項１記載の電子機器におけるケース構造。
【請求項３】
前記銘札部は、前記側壁端面を曲面形状に形成することによって構成したことを特徴とする請求項１記載の電子機器におけるケース構造。
【請求項４】
前記端子台は、前記リアケースに脱着自在に構成したことを特徴とする請求項１乃至３のいずれか一に記載の電子機器におけるケース構造。
【請求項５】
前記端子符号は、前記リアケースの色彩とは異なる色彩を用いて前記銘札部に付したことを特徴とする請求項１乃至４のいずれか一に記載の電子機器におけるケース構造。
【請求項６】
前記電子機器は、温度調節器、デジタルパネルメータ或いはタイマー等の電子機器であることを特徴とする請求項１乃至５のいずれか一に記載の電子機器におけるケース構造。
【発明の詳細な説明】
【技術分野】
【０００１】
本発明は、温度調節器、デジタルパネルメータ或いはタイマー等の電子機器におけるケース構造に関する。
【背景技術】
【０００２】
この種の電子機器におけるケース構造は、例えば、本願出願人会社における実施品として図５及び図６に示すものがある(上記実施品に関連する特許出願として、特許文献１参照)。
【特許文献１】特願2002-288720号特許出願。
【０００３】
図５及び図６によれば、電子機器のケースはフロントケース１とリアケース２とから構成している。
【０００４】
そして、フロントケース１のフロントパネルには図示しない表示部や複数のキー孔等が形成され、また、裏面部側にはメイン基板が配設されている。
【０００５】
また、リアケース２内には、前記メイン基板に接続する複数の子基板(不図示)が収容されていると共に、当該子基板と前記メイン基板とで制御ユニットを構成し、且つ、リアケース２の裏面側には、前記子基板と外部装置とを電気的に接続するための端子台３が突出した状態で設置されている。
【０００６】
端子台３は、複数個の個別端子台３ａ、３ａ、３ａ・・・により構成しており、個別端子台３ａ、３ａ、３ａ・・・は、いずれもリアケース２に取外し可能に装着されている。
【０００７】
したがって、個別端子台３ａ、３ａ、３ａ・・・は、複数種類の子基板にそれぞれ対応するように複数種類用意され、これらを選択的に使用しリアケース２に配設することによって、複数種類の子基板を選択的に使用して、一の電子機器に各種の機能を交換的に果させるよう意図している。
【０００８】
このために、それぞれの個別端子台３ａ、３ａ・・・を構成する個別端子３ｂ、３ｂ、３ｂ・・・は、一の端子保持具３ｃ、３ｃ、３ｃ・・・にそれぞれ装着することによりユニット化されている。
【０００９】
そして、端子台３は、選択使用された子基板に対応するように、個別端子３ｂ、３ｂ、３ｂ・・・毎に端子符番を付して管理されており、一般的には端子台に直接上記端子符番を刻印等で付すことがなされていた。
【００１０】
しかし、図５及び図６に示すケース構造では、同一の外形寸法のリアケース内に多くの子基板を配設することを意図したために、個別端子３ｂ、３ｂ、３ｂ・・・を組立保持する端子保持具３ｃ、３ｃ、３ｃ・・・の小型化を行わなくてはならず、このために、端子台３自身に上記端子符番を刻印できなくなってしまった。
【００１１】
そこで、図５及び図６に示すように、リアケース２の裏面における側壁端面４を、端子符号記載用の銘札部に用い、銘札部に数字等の端子符番６，６，６・・・を刻印等により付していた。
【発明の開示】
【発明が解決しようとする課題】
【００１２】
しかし、リアケース２の裏面における側壁端面４に端子符番６，６，６・・・を付した場合、リアケース２の裏面側を正面にして直視的に見る場合には、端子符番６，６，６・・・は容易に視認できるが、側面端部５側から見る場合には視認できなくなり、リアケース２の側面端部５も銘札部として利用して、端子符番７，７，７・・・をも付さざるを得なかった。
【００１３】
しかも、現在、電子機器として、一の電子機器に多種多様の機能を選択的に使用可能なものが求められてきており、外形寸法が定寸に定められているリアケース２内に、多くの子基板及びこれに対応した多くの端子を持った端子台を設置する必要が出てきて、これに対応するために、リアケース２の肉厚を薄くするなどの対策を採らざるを得なくなった。
【００１４】
このために、もはや、リアケース２の裏面における側壁端面４には、端子符号６を刻印等により付すことができなくなり、側面端部５のみに付すことになるが、これだけでは指向性があり視認性が悪く、端子台組立作業やメンテナンサ作業等に影響を及ぼさざるを得なかった。
【００１５】
本発明は、かかる点に鑑み、たとえリアケースの肉厚寸法が薄くなったとしても、リアケースの裏面部における側壁端面に、広角度から視認性の高い端子符番記載用の銘札部を形成可能とし、リアケースの側面端部に端子符番を付す必要のない電子機器におけるケース構造を提供することを目的としている。
【課題を解決するための手段】
【００１６】
上記目的を達成するために、請求項１に記載の本発明は、フロントケースとリアケースとで電子機器ケースを構成し、電子機器ケース内に制御ユニットを収容し、且つリアケースの裏面部に制御ユニットに電気的に接続する端子台を配設して構成される電子機器ケース構造であって、リアケースの裏面部における側壁端面を拡大して、端子台における端子符号記載用の銘札部を形成したことを特徴とする。
【００１７】
かかる構成によって、本発明は、リアケースの裏面部における側壁端面を拡大して銘札部としたことにより、容易に端子符号を付すことができ、リアケースへの端子台における個別端子の実装密度の高度化に対処できる。
【００１８】
また、銘札部は、リアケースの裏面部における側壁端面を拡大して形成したために、裏面部側を正面にして直視的に視認する場合ばかりでなく、リアケースの側面側からの視認性も確保可能となり、従来のような側面端部に端子符番を付すことを廃止することができる。
【００１９】
また、請求項２に記載の発明は、請求項１に記載の発明における銘札部が、側壁端面を斜面形状に形成することによって構成したものであり、請求項３に記載の発明は、銘札部が、側壁端面を曲面形状に形成することによって構成したものであり、リアケースの裏面部における側壁端面を拡大して銘札部とすることができて、容易に符号を付すことができ、リアケースへの端子台における個別端子の実装密度の高度化に対処できると共に、裏面側を正面にして直視的に視認する場合ばかりでなく、リアケースの側面側からの視認性も確保可能となって指向性がなくなり、従来のような側面端部に符号を付すことを廃止することができる。
【００２０】
また、請求項４に記載の発明は、請求項１乃至３のいずれか一に記載の端子台がは、リアケースに脱着自在に構成したもので、制御ユニットの交換に対応して端子台も交換可能となって、一の電子機器内における機能交換を容易にしている。
【００２１】
また、請求項５に記載の発明は、請求項１乃至４のいずれか一に記載の端子符号が、リアケースの色彩とは異なる色彩を用いて銘札部に付したことを特徴とするもので、端子符番の視認性をさらに高めることができる。
【００２２】
また、本発明は、請求項１乃至５のいずれかの記載における電子機器が、温度調節器、デジタルパネルメータ或いはタイマー等の電子機器であることを特徴とするものであり、リアケースの裏面部における側壁端面を拡大して銘札部としたことにより、容易に符号を付すことができ、リアケースへの端子台における個別端子の実装密度の高度化に対処できると共に、銘札部が、リアケースの裏面部側を正面にして直視的に視認する場合ばかりでなく、リアケースの側面側からの視認性も確保可能となって指向性がなくなり、従来のような側面端部に符号を付すことを廃止することができる。
【発明の効果】
【００２３】
上記のように構成する本発明は、リアケースの裏面部における側壁端面を拡大して銘札部としたことにより、容易に符号を付すことができ、リアケースへの端子台における個別端子の実装密度の高度化に対処できると共に、裏面部側を正面にして直視的に視認する場合ばかりでなく、リアケースの側面側からの視認性も確保可能となって指向性がなくなり、従来の側面端部に符号を付すことを廃止することができる。
【発明を実施するための最良の形態】
【００２４】
以下、図を用いて、本発明に係る電子機器におけるケース構造の一の実施の形態を、図１乃至図４を用いて説明する。
【００２５】
図１は本発明に係る一の実施の形態を採用した電子機器におけるケース構造を裏面部側から描画した斜視図、図２は同じく分解斜視図、図３は図２のＡ−Ａ断面図、図４（１）は図１における左側面図、図４（２）は同じく裏面図、図４（３）は同じく右側面図である。
【００２６】
図１乃至図４によれば、電子機器ケース１０は、フロントケース１１とリアケース１２とから構成されている。
【００２７】
フロントケース１１は、前面部１９に不図示の表示部や複数のキー孔等を形成すると共に、裏面部にやはり不図示のメイン基板を配設して構成している。
【００２８】
リアケース１２は、箱型を呈しており、内部に前記メイン基板に接続する複数の子基板（不図示）を収容すると共に、裏面部１８に前記子基板に電気的に接続する端子台１３を配設し、前記メイン基板及び子基板により、電子機器の制御ユニットを構成している。
【００２９】
したがって、この制御ユニットは、フロントケース１１及びリアケース１２が構成される電子機器ケース１０内に収容されていることになる。
【００３０】
また、リアケース１２の裏面部側には、端子台３が突出するように配設されており、端子台３は、リアケース１２に収容された複数個の前記子基板にそれぞれ対応して外部装置に電気的に接続する複数個の個別端子台１４，１４，１４・・・から構成している。
【００３１】
個別端子台１４，１４，１４・・・は、いずれもリアケース２に脱着可能に装着されている。
【００３２】
そして、個別端子台１４，１４，１４・・・は、複数種類の子基板に対応するように複数種類用意され、これらを選択的に使用し、リアケース１２に配設することによって、複数種類の子基板を選択的に使用可能として、一の電子機器に各種機能を交換的に果たさせるように構成している。
【００３３】
このために、それぞれの個別端子台１４，１４，１４・・・は、それぞれ複数の個別端子１５，１５，１５・・・をまとめて一の端子保持具１６，１６，１６・・・に装着することよってユニット化されて構成している。
【００３４】
そして、各個別端子１５，１５，１５・・・は、それぞれ選択使用された子基板に対応するように、端子符番１７，１７，１７・・・が設定されており、端子符番１７，１７，１７・・・によって、どの種あるいは何個の個別端子１５，１５，１５・・・を用いた個別端子台１４，１４，１４・・・が使用されているか、生産組立時或いはメンテナンス時等に容易に管理できるようになっている。
【００３５】
そこで、この実施の形態では、リアケース１２の裏面部１８における側壁端面１８ａには、全面あるいは間欠的に斜面形状に形成することによって拡大し、端子符番１７，１７，１７・・・を記載するための銘札部２０が形成され、銘札部２０には、端子符番１７，１７，１７・・・が刻設或いは印刷等によって付されている。
【００３６】
端子符番１７，１７，１７・・・を銘札部２０に付す場合、リアケース１２を二色成形等することにより、端子符番１７，１７，１７、・・・をリアケース１２の色彩とは異なる色彩を用いて銘札部２０に付すことにより、端子符番１７，１７，１７・・・の視認性をさらに高めることができる。
【００３７】
銘札部２０は、リアケース１２の金型に形成しておき、リアケース１２の成形時に同時に形成するようになっている。
【００３８】
そして、銘札部２０は、斜面形状になっているために、リアケース１２の裏面部１８を正面として、端子符番１７，１７，１７・・・を直視的に視認できると共に、リアケース１２の側面１８ｂからも視認できるようになった指向性がなくなり、従来のように、側面１８ｂ側に端子符番１７，１７，１７・・・を記載する必要がなく、リアケース１２内に収容された子基板に容易に対応することができて、広角度の視認性をもって、生産組立時或いはメンテナンス時等に非常に便利である。
【００３９】
さらに、この実施の形態においては、リアケース１２の中間部で、個別端子台１４，１４，１４・・・同士を仕切るための仕切り壁２１が形成されており、仕切り壁２１にも、端子符番１７，１７，１７・・・が記載されて、側壁端面１８ａ側の銘札部２０を補完し、さらに多くの端子符番１７，１７，１７・・・を記載して、子基板の多数枚実装に対処している。
【００４０】
次に、本発明にかかる他の実施の形態について、図５を用いて説明する。
【００４１】
図５は、他の実施の形態を採用した電子機器におけるケース構造の図３と同様な断面図である。
【００４２】
図５によれば、銘札部２０が、前記一の実施の形態においてリアケース１２の側壁端面１８ａを斜面形状に形成して構成した点を変更し、曲面形状（半円形状）に形成することによって拡大して構成したものである。
【００４３】
このように、銘札部２０は、曲面形状になっているために、リアケース１２の裏面部１８を正面として、端子符番１７，１７，１７・・・を直視的に視認できると共に、リアケース１２の側面１８ｂからも視認できるようになって指向性がなくなり、従来のように、側面１８ｂ側に端子符番１７，１７，１７・・・を記載する必要がなく、リアケース１２内に収容された子基板に容易に対応することができて、広角度の視認性をもって、生産組立時或いはメンテナンス時等に非常に便利である。
【産業上の利用可能性】
【００４４】
以上説明したように、本発明の電子機器におけるケース構造は、リアケースの裏面部における側壁端面を拡大して銘札部としたことにより、容易に端子符番を付すことができ、端子台における個別端子の実装密度の高度化に対処できると共に、裏面部側を正面にして直視する場合ばかりでなく、リアケースの側面側からの視認性も確保可能となって指向性がなくなり、従来の側面端部に端子符番を付すことを廃止することができることから、温度調節器、デジタルパネルメータ或いはタイマー等の電子機器におけるケース構造に好適に利用できることになる。
【図面の簡単な説明】
【００４５】
【図１】本発明に係る一の実施の形態を採用した電子機器におけるケース構造を裏面部側から描画した斜視図である。
【図２】同じく分解斜視図である。
【図３】図２のＡ−Ａ断面図である。
【図４】（１）は図１における左側面図、（２）は同じく裏面図、（３）は同じく右側面図である。
【図５】本発明に係る他の実施の形態を採用した電子機器におけるケース構造の図３と同様な断面図である。
【図６】従来における電子機器におけるケース構造を裏面部側から描画した斜視図である。
【図７】同じく、（１）は左側面図、（２）は裏面図、（３）は右側面図である。
【符号の説明】
【００４６】
１０    電子機器ケース
１１    フロントケース
１２    リアケース
１３    端子台
１４    個別端子台
１５    個別端子
１７    端子符番
１８    裏面部
１８ａ  側壁端面
２０    銘札部
【図１】
2005137131.tif 000003
【図２】
2005137131.tif 000004
【図３】
2005137131.tif 000005
【図４】
2005137131.tif 000006
【図５】
2005137131.tif 000007
【図６】
2005137131.tif 000008
【図７】
2005137131.tif 000009